(57)【要約】【課題】  部品点数が少なく、かつ安価で使用が簡単である広告掲載具を提供すること。【解決手段】  この広告物掲載具１は、所定の長さ及び所定の厚さの方形状透明シート３で構成され、透明シート３の一端側に形成された吊下支持用係止部５と、吊下支持用係止部５から所定の幅および長さに形成された吊下部材７とからなり、吊下部材７の部分に広告媒体を収納する収納袋部９が形成され、吊下支持用係止部５に所定の長さおよび太さの棒状体が挿入可能な筒状部が形成されてものである。【選択図】      図１
0003115912.tif 000002
【実用新案登録請求の範囲】
【請求項１】
所定の長さ及び所定の厚さの透明シートで構成され、前記透明シートの一端側に形成された吊下支持用係止部と、前記吊下支持用係止部から所定の幅および長さに形成された吊下部材とからなる広告物掲載具であって、
前記吊下部材には広告媒体を収納する収納袋部が形成されており、かつ、前記吊下支持用係止部には所定の長さおよび太さの棒状体が挿入可能な筒状部が形成されてものであることを特徴とする広告物掲載具。
【考案の詳細な説明】
【技術分野】
【０００１】  この考案は透明なシートで形成された広告物掲載具に係り、特に蛍光灯照明器具の蛍光管（蛍光灯）やダミー管などの棒状体から透明吊下部材を吊り下げ、当該吊下部材に形成された収納袋部内に広告媒体を収納して広告宣伝に使用することができる広告物掲載具に関するものである。
【背景技術】
【０００２】  この種の広告物掲載具は、例えば電車内の天井部に設けられているものが知られており、この広告物掲載具に平面状紙面等に印刷してなる広告媒体の上端部を挟み込み、当該広告媒体を前記広告物掲載具から吊り下げた状態で宣伝掲出しているのことは周知のとおりである。
この広告物掲載具にあっては、電車等の特殊の使用場所に使われているのが一般的であり、例えば駅通路などの天井部分に当該広告物掲載具を取り付けることは見栄えなどの問題から一般的に行われていなかった。
しかしながら、例えば駅通路などの天井部分に広告媒体等を掲出することは、宣伝効果が高く、このような場所の天井部分の利用が要求されているものの、特殊な広告物掲載具を設けることが構造的な観点あるいは費用的な観点から敬遠されていた。【０００３】  ところが、このような場所の天井部分には、蛍光照明器具が一定間隔で配置されていることが多く、この蛍光照明器具を利用した広告掲載具が提案されている（特許文献１および特許文献２参照）。
かかる広告掲載具は、略Ｃ字状に形成されるとともにその開口端に照明灯を支持する円弧状の係止部と、この係止部の下端に設けられたレール状クリップと、このレール状クリップに上端部が把持される広告紙とから構成されている。これによれば、係止部を照明灯に挟み込むことにより、レール状クリップと広告紙とが照明灯から吊り下がった状態で使用され、蛍光灯の熱がこもる問題を解消している。
【特許文献１】  実願平７−３９０８３号公報
【特許文献２】  特開２００４−１９９００８号公報
【考案の開示】
【考案が解決しようとする課題】
【０００４】  しかしながら、上述した従来の広告掲載具によれば、係止部、レール状クリップという特殊な部品が複数必要となる欠点があるほかに、組み立て工数がかかり、しかもクリップに挟むに熟練を必要とするという欠点があった。
この考案は、上述した従来技術の欠点を解消し、部品点数が少なく、かつ安価で使用が簡単である広告掲載具を提供することを目的とする。
【課題を解決するための手段】
【０００５】  上記目的を達成するために、請求項１記載の考案に係る広告掲載具は、所定の長さ及び所定の厚さの透明シートで構成され、前記透明シートの一端側に形成された吊下支持用係止部と、前記吊下支持用係止部から所定の幅および長さに形成された吊下部材とからなる広告物掲載具であって、
前記吊下部材には広告媒体を収納する収納袋部が形成されており、かつ、前記吊下支持用係止部には所定の長さおよび太さの棒状体が挿入可能な筒状部が形成されてものであることを特徴とするものである。
【考案の効果】
【０００６】  請求項１記載の考案に係る広告掲載具によれば、上述したように構成したため、次のような効果がある。
（１）部品点数が少なく、かつ、安価に提供できる。
（２）蛍光管（蛍光灯）あるいはダミー管等の管状の形状をした棒状体などに簡単に取り付け、かつ、広告媒体の着脱も簡単にできる。
（３）新規な広告掲載媒体として広告宣伝効果が著しく高い。
【考案を実施するための第１の最良の形態】
【０００７】  以下、この考案を実施するための第１の最良の形態について、図面を参照して説明する。
図１は、この考案を実施するための第１の最良の形態に係る広告物掲載具を示す斜視図である。図２は、この考案を実施するための第１の最良の形態に係る広告物掲載具を示す正面図である。図３は、この考案を実施するための第１の最良の形態に係る広告物掲載具を示す側面図である。
【０００８】  これらの図において、広告物掲載具１は透明なビニールシート、例えば出光プロダクトケミカル株式会社製の商品名「ピュアソフティ（登録商標）」の軟質ＰＯシートであって、所定の長さ（例えば３０［ｃｍ］〜１［ｍ］）及び所定の厚さ（例えば０．１［ｍｍ］〜０．３［ｍｍ］）からなる方形状透明シート３により構成されたものである。具体的には、前記広告物掲載具１は、前記透明シート３の一端側に形成された吊下支持用係止部５と、前記吊下支持用係止部５から所定の幅（例えば３０［ｃｍ］〜１［ｍ］）および長さ（例えば１５［ｃｍ］〜５５［ｃｍ］に形成された吊下部材７とから構成されている。また、この吊下部材７には平面状あるいは立体状の広告媒体（厚紙等に印刷した広告板）を収納する収納袋部９が形成されている。
【０００９】  この収納袋部９は、所定幅の透明シート３を辺ａで折り曲げて、透明シート３の末端ｃを前記吊下支持用係止部５側に移動させて再び透明シート３に末端ｃを接着等し、かつ、一方の側端面ｂを接着等し、他方の側端面ｄを接着等せずにおくことにより、他方の側端面ｄが開口した袋体に形成したものである。また、前記収納袋部９には、他方の側端面ｄに図示のようにホック１１，１１が設けられており、前記収納袋部９の他方の側端面ｄの開口を開閉できるようにしてある。なお、図では、末端ｃの接着部分を実線で表示してわかりやすく表示してあるが、実際には透明シート３であるので、この末端ｃの接着部分はほとんど見えないものである。
また、前記吊下支持用係止部５は、所定幅の透明シート３を折り曲げ、透明シート３の他端面を再び透明シート３に接着等することにより、所定の長さおよび太さの棒状体（蛍光灯照明器具の蛍光管（蛍光灯））が挿入可能な筒状部に形成されている。
なお、この考案を実施するための第１の最良の形態では、基本的には、蛍光灯照明器具の蛍光管（蛍光灯）あるいはダミー管に吊り下げ使用することを想定しているので、具体的には、上記透明シート３の幅は当該蛍光管（蛍光灯）あるいはダミー管の長さより短く設定されているものとする。
【００１０】  図４は、この考案を実施するための第１の最良の形態に係る広告物掲載具の使用状態を説明するため図である。
この図４において、天井２１には２つの蛍光管（蛍光灯）を装着できる蛍光灯照明器具２３が配置されているものとする。この蛍光灯照明器具２３には、一本を通常の蛍光管２５が、他方に節電器具であるダミー管２７が、それぞれ装着してあるものとして以下説明する。なお、このダミー管２７は、蛍光管（蛍光灯）２５に類似した外形形状をしており、円柱状部分両端部には二つの電極突起をそれぞれ備えるとともに円柱状部分の表面には蓄光部材が塗布されていて、しかも、円柱状部分内部に通電回路を備えていて前記電極突起に電気的に接続されており、蛍光灯照明器具２３の一方の装着部に装着しても、他の蛍光管２５の点灯に支障がないようになっている。また、前記蛍光灯照明器具２３の他の蛍光管２５が消灯したときには、前記ダミー管２７の円柱状部分表面の蓄光部材が発光するようになっている。
【００１１】  まず、蛍光灯照明器具２３からダミー管２７を取り外す。ダミー管２７を本願考案に係る広告物掲載具１の吊下支持用係止部５に挿入する。再び、ダミー管２７を蛍光灯照明器具２３に装着する。これにより、図４に示すように蛍光灯照明器具２３のダミー管２７から広告物掲載具１が吊り下がった状態になる。なお、吊下支持用係止部５も透明シート３で形成されているので、光が透過し使用には問題がない。
このような状態になったところで、前記収納袋部９のホック１１，１１を外し、厚紙等に印刷した広告板である平面状広告媒体３１を挿入して前記収納袋部９内で所定の位置に配置する。所定の位置に配置された状態でホック１１，１１を止める。これにより、当該平面状広告媒体３１は、例えば風等で広告物掲載具１の吊下部材７が揺れても前記収納袋部９から出ることがない。なお、平面状広告媒体３１は、上述の手順で定期的に入れ換えるなどすればよい。
【００１２】  このような構造をした広告物掲載具１であるので、次のような利点がある。
（１）部品点数が少なく、かつ、安価に提供できる。
（２）蛍光管（蛍光灯）あるいはダミー管等の管状の形状をした棒状体などに簡単に取り付け、かつ、広告媒体の着脱も簡単にできる。
（３）新規な広告掲載媒体として広告宣伝効果が高い。
【００１３】  なお、上記広告物掲載具１では、透明シート３を上述したように接着等することにより、透明吊下支持用係止部５や収納袋部９を作成したが、この接着等は接着剤で透明シート３を接着してもよいし、溶着によって透明シート３を接着してもよいし、あるいは、縫製により接着等するようにしてもよい。
また、上記実施の形態では、ダミー管２７に広告物掲載具１を吊り下げる状態で説明したが、もちろん蛍光灯照明器具２３の蛍光管（蛍光灯）２５に広告物掲載具１を吊り下げるようにしてもよいし、また、他の円柱棒状体を使用し、円柱棒体を天井などの部分に固定し、その円柱棒体を広告物掲載具１の吊下支持用係止部５に挿入することにより、その円柱棒状体から吊り下げるようにしてもよい。
【００１４】  図５は、この考案を実施するための第１の最良の形態に係る広告物掲載具の他の使用例を説明するための斜視図である。
この考案を実施するための第１の最良の形態に係る広告物掲載具１では、上記説明では、平面状の広告媒体３１を収納袋部９に収納する使用例で説明したが、これに限定するものではなく、例えば図５に示すように円柱状の立体広告媒体３１ａを収納袋部９に収納して広告するようにしてもよい。
【００１５】  図６は、この考案を実施するための第２の最良の形態に係る広告物掲載具を示す正面図である。
この考案を実施するための第２の最良の形態に係る広告物掲載具１ａは、図６に示すように、吊下部材７に収納袋部９，９，９を複数形成した形状にしてなるものである。このようにすることにより、複数の収納袋部９，９，９にそれぞれ広告媒体を収納して広告をすることができる。この場合、一つ一つの収納袋部９，９，９に収納する広告媒体をそれぞれ別々な内容のものに変えてもよいし、全く同一の広告媒体を収納してもよい。
この第２の最良の形態に係る広告物掲載具によれば、透明シート３の材料が少なくて済むほか、多様な宣伝広告が可能になる。
なお、上記実施の形態において、透明吊下支持用係止部５の部分を複数に分割し、少なくとも両端と中央部分とに透明シート３による透明吊下支持用係止部５，５，５が形成されるようにすると、さらに透明材料が少なくて済むという利点がある。
【００１６】  図７は、この考案を実施するための第３の最良の形態に係る広告物掲載具を示す正面図である。
この図７において、この考案を実施するための第３の最良の形態に係る広告物掲載具１ｂは、吊下部材７の全面に収納袋部９を形成したものであり、その他の構成は第１の実施の形態と同一形状に形成したものである。
このような第３の最良の形態に係る広告物掲載具１ｂによっても、第１の最良の形態と同様な作用効果を奏する。
【図面の簡単な説明】
【００１７】
【図１】  この考案を実施するための第１の最良の形態に係る広告物掲載具を示す斜視図である。
【図２】  この考案を実施するための第１の最良の形態に係る広告物掲載具を示す正面図である。
【図３】  この考案を実施するための第１の最良の形態に係る広告物掲載具を示す側面図である。
【図４】  この考案を実施するための第１の最良の形態に係る広告物掲載具の使用の仕方を説明するため図である。
【図５】  この考案を実施するための第１の最良の形態に係る広告物掲載具の他の使用例を説明するための斜視図である。
【図６】  この考案を実施するための第２の最良の形態に係る広告物掲載具を示す正面図である。
【図７】  この考案を実施するための第３の最良の形態に係る広告物掲載具を示す正面図である。
【符号の説明】
【００１８】１，１ａ，１ｂ・・・広告物掲載具
３・・・透明シート
５・・・吊下支持用係止部
７・・・吊下部材
９・・・収納袋部
１１・・・ホック
【図１】
0003115912.tif 000003
【図２】
0003115912.tif 000004
【図３】
0003115912.tif 000005
【図４】
0003115912.tif 000006
【図５】
0003115912.tif 000007
【図６】
0003115912.tif 000008
【図７】
0003115912.tif 000009